(57)【要約】【課題】流体の照射効果を高める配管装置を提供する。【解決手段】本体１０、照射モジュール２０及び透明カバープレート３０を備え、管体である本体１０には取付部１１、少なくとも１つの流路１２、及び取付凹部が設けられ、取付部１１は、本体１０の内部の中間位置に設けられ、少なくとも１つの流路１２は本体１０の内部に設けられ且つ取付部１１と本体１０の内壁との間に介設され、取付凹部は取付部１１の一方の側に凹設され且つ本体１０の一端を向いており、取付凹部に開口が併設され、照射モジュール２０は本体１０に結合されるように取付凹部内に設置され、照射モジュール２０に複数の発光素子２１が設けられ、複数の発光素子２１は照射モジュール２０の開口に近い側に設けられ、透明カバープレート３０は本体１０に結合されると共に取付凹部の開口に覆設され且つ取付凹部を密閉し、決まった外径を有する。【選択図】図２
0003222474.tif 000002
【実用新案登録請求の範囲】
【請求項１】
流体の照射効果を高める配管装置であって、本体、照射モジュール及び透明カバープレートを備え、
前記本体は管体であり、且つ該本体には取付部、少なくとも１つの流路、及び取付凹部が設けられ、そのうち、取付部は、該本体の内部の中間位置に設けられ、該少なくとも１つの流路は該本体の内部に設けられ、且つ該取付部と本体の内壁との間に介設され、該取付凹部は、該取付部の一方の側に凹設され、且つ該本体の一端を向いており、該取付凹部には開口が併設され、
前記照射モジュールは、前記本体に結合されるように前記取付凹部内に設置され、該照射モジュールには複数の発光素子が設けられ、該複数の発光素子は、該照射モジュールの前記開口に近い側に設けられ、
前記透明カバープレートは、前記本体に結合されると共に、前記取付凹部の開口に覆設され且つ該取付凹部を密閉し、決まった外径を有することを特徴とする、流体の照射効果を高める配管装置。
【請求項２】
前記発光素子は、発光ダイオードであることを特徴とする、請求項１に記載の流体の照射効果を高める配管装置。
【請求項３】
前記透明カバープレートは、ポリカーボネート製、ポリメタクリレート製、またはガラス製の板部材であることを特徴とする、請求項１に記載の流体の照射効果を高める配管装置。
【請求項４】
前記透明カバープレートは、ポリカーボネート製、ポリメタクリレート製、またはガラス製の板部材であることを特徴とする、請求項２に記載の流体の照射効果を高める配管装置。
【請求項５】
固定部材をさらに備え、該固定部材は、前記本体の取付部に固定結合され、且つ該固定部材に光透過孔が形成され、該光透過孔の内径は、前記透明カバープレートの外径より小さく、該固定部材と透明カバープレートとを互いに当接させることを特徴とする、請求項１から４のいずれか１項に記載の流体の照射効果を高める配管装置。
【請求項６】
前記本体にはさらに貫通孔が形成され、該貫通孔と前記取付凹部が連通することで、前記照射モジュールが外部の電源に接続されることを特徴とする、請求項５に記載の流体の照射効果を高める配管装置。
【請求項７】
前部アダプタ管をさらに備え、該前部アダプタ管は、前記本体の、前記複数の発光素子が向いている一端において該本体と直線状に結合され、且つ前記照射モジュールと直線的に対向することを特徴とする、請求項６に記載の流体の照射効果を高める配管装置。
【請求項８】
後部アダプタ管をさらに備え、該後部アダプタ管は、前記本体の、前記前部アダプタ管から遠い一端に該本体と直線状に結合されていることを特徴とする、請求項７に記載の流体の照射効果を高める配管装置。
【考案の詳細な説明】
【技術分野】
【０００１】
本考案は特に、内部を流れる流体に照射を行う配管装置に関するものである。
【背景技術】
【０００２】
スペクトルにおいて波長が異なる光は、動物や植物、ないしは微生物に対して、明らかに異なる影響を与えることができる。例えば、波長が４５０ナノメートル（ｎｍ、ｎａｎｏｍｅｔｅｒ）の光は、水中の藻類を刺激して成長を促し、２００〜４０５ナノメートルの紫外線（ＵＶ、ｕｌｔｒａｖｉｏｌｅｔ）は殺菌に用いることができる。そのため、異なる波長の光は、生活においても産業においても広く応用され、流体内の有機物の培養、抑制、又は死滅に用いることができる。
【０００３】
従来の配管装置は、直線状で且つ内部に流体を有する透明な管材と、該透明な管材の周囲に横向きに設けられる複数の照射源を備え、ユーザは該複数の照射源によって、特定の波長の光を、該透明な管材を通過させて内部の流体に照射し、それによって、例えば流体内の有機物の培養、抑制、又は死滅といった、該特定の波長の光に応じた効果を発揮させることができる。しかしながら、従来の配管装置は、使用時に流体が該複数の照射源の照射範囲を直線的に素早く通過してしまうことから、照射時間が短く、該特定の波長の光による効果を十分に得ることができないので、従来の配管装置には改良の余地があった。
【考案の概要】
【考案が解決しようとする課題】
【０００４】
本考案は、「使用時に流体が前記複数の照射源の照射範囲を直線的に素早く通過するため、該複数の照射源が前記特定の波長の光による効果を十分に発揮できない」との従来の配管装置の課題を解決するために、流体が特定の波長の光に照射される時間を延長し、好ましい照射効果を得ることが可能な、流体の照射効果を高める配管装置を提供することを目的とする。以下、さらに説明する。
【課題を解決するための手段】
【０００５】
本考案は、流体の照射効果を高める配管装置であって、本体、照射モジュール及び透明カバープレートを備え、前記本体は管体であり、且つ該本体には取付部、少なくとも１つの流路、及び取付凹部が設けられ、そのうち、取付部は、該本体の内部の中間位置に設けられ、該少なくとも１つの流路は該本体の内部に設けられ、且つ該取付部と本体の内壁との間に介設され、該取付凹部は、該取付部の一方の側に凹設され、且つ該本体の一端を向いており、該取付凹部には開口が併設され、前記照射モジュールは、前記本体に結合されるように前記取付凹部内に設置され、該照射モジュールには複数の発光素子が設けられ、該複数の発光素子は、該照射モジュールの前記開口に近い側に設けられ、前記透明カバープレートは、前記本体に結合されると共に、前記取付凹部の開口に覆設され且つ該取付凹部を密閉し、決まった外径を有する。
【０００６】
前記流体の照射効果を高める配管装置のうち、前記発光素子は、発光ダイオードである。
【０００７】
前記流体の照射効果を高める配管装置のうち、前記透明カバープレートは、ポリカーボネート製、ポリメタクリレート製、またはガラス製の板部材である。
【０００８】
前記流体の照射効果を高める配管装置のうち、前記透明カバープレートは、ポリカーボネート製、ポリメタクリレート製、またはガラス製の板部材である。
【０００９】
固定部材をさらに備え、該固定部材は、前記本体の取付部に固定結合され、且つ該固定部材に光透過孔が形成され、該光透過孔の内径は、前記透明カバープレートの外径より小さく、該固定部材と透明カバープレートとを互いに当接させる。
【００１０】
前記流体の照射効果を高める配管装置のうち、前記本体にはさらに貫通孔が設けられており、該貫通孔は前記取付溝と連通して、前記照射モジュールを外部の電源と接続させる。
【００１１】
前記流体の照射効果を高める配管装置は、前部アダプタ管及び後部アダプタ管をさらに備え、該前部アダプタ管は、前記本体の、前記複数の発光素子が向いている一端において該本体と直線状に結合され、且つ前記照射モジュールと直線的に対向し、該後部アダプタ管は、前記本体の、前記前部アダプタ管から遠い一端において該本体と直線状に結合されている。
【考案の効果】
【００１２】
本考案は、上記の欠点を改善するためになされたものであり、前部アダプタ管を本体と直線状に結合することにより、流体が該前部アダプタ管を経由して本考案の配管装置に流入した後、前記複数の発光素子が発する特定の波長の光で直接照射し、且つ流体が前記２つの流路を通過するまで照射し続け、それによって、光線の照射時間を効果的に延長して流体内の有機物を好適に培養、抑制又は死滅させる効果を得ることができる。尚、その後流体は十分に照射された後に該２つの流路を通過して前記後部アダプタ管から流出する。以上のように、本考案は、流体が照射源の照射範囲を直線的に素早く通過してしまうことから十分に照射されないという従来技術の欠点を効果的に改善することにより、流体の照射効果を高めることが可能となる。
【図面の簡単な説明】
【００１３】
【図１】本考案の好ましい実施形態の外観斜視図である。
【図２】本考案の好ましい実施形態の一部断面斜視図である。
【図３】本考案の好ましい実施形態の一部断面分解斜視図である。
【図４】本考案の好ましい実施形態の正面視断面図である。
【図５】本考案の好ましい実施形態の図４のＡ−Ａ断面線における側面視断面図である。
【図６】本考案の好ましい実施形態の図４のＢ−Ｂ断面線における側面視断面図である。
【考案を実施するための形態】
【００１４】
本考案の技術特徴及び実用的な効果を詳細に理解できるように、且つ考案の内容に従って実現できるように、図に示す好ましい実施形態によって、さらに以下のとおり詳細に説明する。
【００１５】
本考案は、流体の照射効果を高める配管装置であって、好ましい実施形態は、図１〜図４に示すように、本体１０、照射モジュール２０、透明カバープレート３０、固定部材４０、前部アダプタ管５０及び後部アダプタ管６０を備える。
【００１６】
図２〜図５に示すように、前記本体１０は管状を呈すると共に、決まった長さを有し、且つ取付部１１、少なくとも１つの流路１２、取付凹部１３、貫通孔１４及び２つのねじ部１５を備えている。そのうち、取付部１１は、該本体１０の内部の中間位置に設けられ、該取付部１１の両側は、該本体１０の内壁に接続され、更に、該取付部１１には、２つの締結孔１１１が設けられ、該２つの締結孔１１１はそれぞれ、該取付部１１の両側の、該本体１０の内壁に近い位置に設けられている。尚、本考案の好ましい実施形態においては、該本体１０に２つの流路１２が設けられ、図４及び図６に示すように、該２つの流路１２はそれぞれ該取付部１１の両側に設けられ、且つ該本体１０の両端に連通している。また、前記取付凹部１３は、該取付部１１の本体１０の一端に近い側に形成されると共に、複数の取付孔１３１及び１つの開口１３２を有し、そのうち、該複数の取付孔１３１は該取付凹部１３の底部に設けられ、該開口１３２は該本体１０の一端に向いており、該取付凹部１３の該開口１３２に近い部分の内径が大きく、該取付凹部１３には図３に示すように、段差のある凹部が形成され、また、前記貫通孔１４は、該本体１０及び取付部１１を貫通し、該２つの流路１２と連通せず、一部の取付孔１３１に連通することにより該取付凹部１３と連通し、更に、前記２つのねじ部１５は、該本体１０の両端の内壁に設けられる。
【００１７】
図２、図５及び図６に示すように、前記照射モジュール２０は前記取付凹部１３の底部に設けられ、且つ前記一部の取付孔１３１及び前記貫通孔１４を経由して外部の電源と電気接続され、該照射モジュール２０に複数の発光素子２１が設けられ、該複数の発光素子２１は、該照射モジュールの前記開口１３２に近い側に設けられる。尚、好ましい実施形態においては、各発光素子２１が発光ダイオード（Ｌｉｇｈｔ−ｅｍｉｔｔｉｎｇ  ｄｉｏｄｅ、ＬＥＤ）であることが好ましい。
【００１８】
図２、図５及び図６に示すように、前記透明カバープレート３０は前記取付凹部１３の開口１３２に覆設され、且つ、該透明カバープレート３０の外径は、該取付凹部１３の開口１３２に近い部分の内径と等しく、それにより取付凹部１３が密封される。尚、好ましい実施形態においては、該透明カバープレート３０がポリカーボネート（ＰＣ、ｐｏｌｙｃａｒｂｏｎａｔｅ）製、ポリメタクリレート（アクリル、ＰＭＭＡ、ｐｏｌｙ（ｍｅｔｈｙｌ  ｍｅｔｈａｃｒｙｌａｔｅ））製又はガラス製の板体であってもよい。
【００１９】
図２、図４、図５及び図６に示すように、前記固定部材４０は前記取付部１１に結合され、該固定部材４０は、２つの締結部材４０１が該固定部材４０を貫通してそれぞれ該取付部１１の２つの締結孔１１１に螺合されることにより、該取付部１１の前記取付凹部１３の開口１３２に近い側に固定され、さらに、該固定部材４０に光透過孔４１が貫通するように設けられて、該光透過孔４１の内径は、前記透明カバープレート３０の外径より小さく、該固定部材４０と透明カバープレート３０とを互いに当接させ、且つ該透明カバープレート３０は、該取付凹部１３の開口１３２に挟みこまれるため、該取付凹部１３から脱落することがない。
【００２０】
図１、図２、図５及び図６に示すように、前記前部アダプタ管５０及び後部アダプタ管６０はそれぞれ、前記本体１０の両端に結合され、そのうち該前部アダプタ管５０に前部アダプタ管ねじ５１が設けられて、該前部アダプタ管ねじ５１は、該本体１０における、前記取付凹部１３が開口する側の端部のねじ部１５に螺合され、該前部アダプタ管５０は、該本体１０の長手方向に沿って延伸し、且つ前記照射モジュール２０と直線的に対向している。また、前記後部アダプタ管６０には、後部アダプタ管ねじ６１が設けられて、該後部アダプタ管ねじ６１は、他方のねじ部１５に螺合され、該後部アダプタ管６０は、該本体１０の長手方向に沿って延伸し、さらに、該前部アダプタ管５０の長さは、該後部アダプタ管６０よりも長い。
【００２１】
図６に示すように、上述した技術特徴によれば、該前部アダプタ管５０と本体１０とは直線状に結合されているため、流体は、該前部アダプタ管５０を経由して本考案の配管装置に流入した後、前記複数の発光素子２１が発する特定の波長の光に直接照射され、且つ流体が前記２つの流路１２を通過するまで照射され続ける。それにより、光線の照射時間を効果的に延長して流体内の有機物を好適に培養、抑制又は死滅させる効果を得ることができ、流体は十分に照射された後、該２つの流路１２を通過して前記後部アダプタ管６０から流出する。以上のように、本考案は、従来における、流体が照射源の照射範囲を直線的に素早く通過するため十分に照射されない、との欠点を効果的に改善することができる。
【００２２】
以上の説明は、本考案の好ましい実施形態に過ぎず、本考案に対して何ら限定を行うものではない。すべての当業者が、本考案の技術構想を逸脱しない範囲において、本考案の開示する技術内容を用いて部分的な変更及び修飾を行った等価の実施形態であって、且つ本考案の技術構想の内容を逸脱しないものは、依然としてすべて本考案の技術構想の範囲内にある。
【符号の説明】
【００２３】
１０  本体
１１  取付部
１１１  締結孔
１２  流路
１３  取付凹部
１３１  付孔
１３２  開口
１４  貫通孔
１５  ねじ部
２０  照射モジュール
２１  発光素子
３０  透明カバープレート
４０  固定部材
４０１  締結部材
４１  光透過孔
５０  前部アダプタ管
５１  前部アダプタ管ねじ
６０  後部アダプタ管
６１  後部アダプタ管ねじ
【図１】
0003222474.tif 000003
【図２】
0003222474.tif 000004
【図３】
0003222474.tif 000005
【図４】
0003222474.tif 000006
【図５】
0003222474.tif 000007
【図６】
0003222474.tif 000008